(57)【特許請求の範囲】
【請求項１】
第１の映像のみを表示装置の表示画面に表示させる第１の表示状態と、前記第１の映像とは異なる第２の映像と前記第１の映像とを画面分割により前記表示装置の表示画面に同時に表示させる第２の表示状態とを、利用者の操作に基づいて切り替える表示状態切替手段を有する楽音発生装置であって、前記第１の映像は、演奏曲の演奏中には演奏曲の背景映像と歌詞テロップとからなり、
演奏曲の演奏中に、前記表示状態切替手段による前記第１の表示状態から前記第２の表示状態への切替えを禁止する切替禁止手段を備えたことを特徴とする楽音発生装置。
【請求項２】
前記表示状態切替手段は、複数の表示装置の表示画面の表示状態を切替え可能であって、
前記切替禁止手段は、前記複数の表示装置のうちのいずれか１つの表示装置の表示画面の表示状態の切替えを禁止する、請求項１に記載の楽音発生装置。
【請求項３】
前記切替禁止手段を動作させるか否かを利用者が登録するための登録操作手段と、
前記登録操作手段による登録内容を記憶する登録内容記憶手段とを備え、
前記切替禁止手段は、前記登録内容記憶手段に前記切替禁止手段を動作させる旨の登録内容が記憶されている場合に限って、演奏曲の演奏中に、前記表示状態切替手段による前記第１の表示状態から前記第２の表示状態への切替えを禁止する、請求項１または請求項２に記載の楽音発生装置。
【発明の詳細な説明】
【０００１】
【発明の属する技術分野】
本発明は、いわゆるカラオケ装置などの楽音発生装置に関するものである。
【０００２】
【従来の技術】
従来、第１の映像のみを表示装置の表示画面に表示させる第１の表示状態と、第１の映像とは異なる第２の映像と第１の映像とを画面分割により表示装置の表示画面に同時に表示させる第２の表示状態とを、利用者の操作に基づいて切り替える表示状態切替手段を有するカラオケ装置が提案されている。
【０００３】
すなわち、第１の表示状態では、表示装置の表示画面の全体に第１の映像が表示され、この第１の映像は、演奏曲の演奏中には、演奏曲の背景映像および歌詞テロップである。また、第２の表示状態においては、たとえば各種ジャンルにおけるヒット曲の最新のランキングなどの情報を表示する第２の映像を親画面として、その親画面中に第１の映像からなる子画面を嵌め込むものであった。そして、これら第１の表示状態と第２の表示状態とは、利用者がリモートコントローラに所定の操作を施すことにより、任意に切替え可能であった。
【０００４】
【発明が解決しようとする課題】
しかしながら、上記従来のカラオケ装置では、演奏曲の演奏中でも、他の利用者の操作により第１の表示状態から第２の表示状態に自由に切り替わってしまうので、演奏曲の背景映像および歌詞テロップが圧縮されて小さくなるため、歌詞が見難くなってしまい、歌唱者にとっては歌い難くなってしまう。しかも、演奏中に他の利用者により第１の表示状態と第２の表示状態とを頻繁に切替えられると、演奏曲の背景映像および歌詞テロップが大きくなったり小さくなったりの繰り返しで、歌唱者が歌唱に集中できない場合があった。なお、複数個の表示装置を設け、それらの表示画面の表示状態を個々に切替え可能に構成して、１個の表示装置を歌唱者専用にすることにより、上記の問題を解決することも考えられるが、これでは表示装置の設置個数が増えるほど切替制御が複雑になり、制御装置が高価なものになってしまう。
【０００５】
本発明は、上記の点に鑑みて提案されたものであって、演奏曲の演奏中における背景映像および歌詞テロップの表示状態の切替えに起因する歌唱者の歌い難さを解消できる楽音発生装置を提供することを目的としている。
【０００６】
【課題を解決するための手段】
上記目的を達成するため、請求項１に記載した発明の楽音発生装置は、第１の映像のみを表示装置の表示画面に表示させる第１の表示状態と、第１の映像とは異なる第２の映像と第１の映像とを画面分割により表示装置の表示画面に同時に表示させる第２の表示状態とを、利用者の操作に基づいて切り替える表示状態切替手段を有する楽音発生装置であって、第１の映像は、演奏曲の演奏中には演奏曲の背景映像と歌詞テロップとからなり、演奏曲の演奏中に、表示状態切替手段による第１の表示状態から第２の表示状態への切替えを禁止する切替禁止手段を備えている。
【０００７】
この楽音発生装置によれば、切替禁止手段が、演奏曲の演奏中に、表示状態切替手段による第１の表示状態から第２の表示状態への切替えを禁止するので、演奏曲の演奏中における背景映像および歌詞テロップの表示状態の切替えに起因する歌唱者の歌い難さを解消できる。すなわち、演奏曲の背景映像および歌詞テロップの表示が小さくならないので歌詞テロップが見易く、しかも演奏曲の背景映像および歌詞テロップの表示が頻繁に大きくなったり小さくなったりしないので歌唱に集中できる。
【０００８】
第１の映像は、演奏中以外のときには、たとえば、予め決められた待機画面の映像、あるいは操作案内や各種の設定などを行うための映像である。
【０００９】
第２の映像は、演奏中であると否とに係わらず、たとえば各種ジャンルにおけるヒット曲の最新のランキングなどの各種情報を報知するための映像である。もちろん、この第２の映像は、画面分割により複数の映像を同時に表示するものであってもよい。
【００１０】
また、請求項２に記載した発明の楽音発生装置は、請求項１記載の楽音発生装置であって、表示状態切替手段は、複数の表示装置の表示画面の表示状態を切替え可能であって、切替禁止手段は、複数の表示装置のうちのいずれか１つの表示装置の表示画面の表示状態の切替えを禁止する。
【００１１】
この楽音発生装置によれば、請求項１記載の楽音発生装置による効果に加えて、複数の表示装置の表示画面の表示状態を１回の操作により同時に切替え可能であり、しかも、それらのうちの１つは歌唱者用の表示装置として、演奏中は表示状態の切替えが行われないようにできる。
【００１２】
更に、請求項３に記載した発明の楽音発生装置は、請求項１または請求項２記載の楽音発生装置であって、切替禁止手段を動作させるか否かを利用者が登録するための登録操作手段と、登録操作手段による登録内容を記憶する登録内容記憶手段とを備え、切替禁止手段は、登録内容記憶手段に切替禁止手段を動作させる旨の登録内容が記憶されている場合に限って、演奏曲の演奏中に、表示状態切替手段による第１の表示状態から第２の表示状態への切替えを禁止する。
【００１３】
この楽音発生装置によれば、請求項１または請求項２記載の楽音発生装置による効果に加えて、演奏中における第１の表示状態から第２の表示状態への切替えを禁止するか否かを利用者が任意に選択できる。
【００１４】
【発明の実施の形態】
以下、本発明の好ましい実施の形態を、図面を参照しつつ具体的に説明する。
【００１５】
図１は、本発明に係る楽音発生装置の一例としてのカラオケ装置の回路ブロック図であって、このカラオケ装置は、カラオケ装置本体１、映像制御部２、表示装置３、およびリモートコントローラ４を備えている。
【００１６】
カラオケ装置本体１には、マイクロホン１１およびスピーカ１２が接続されている。映像制御部２は、ＣＰＵ２１、インターフェイス制御部２２、メモリ２３、内部ビデオ信号発生回路部２４、入力ビデオ信号処理回路部２５、ピクチャ・イン・ピクチャ制御回路部２６、ビデオ信号切替回路部２７、およびリモコン受光部２８を備えている。
【００１７】
カラオケ装置本体１は、一般的なカラオケ装置と同様な構成であって、マイクロホン１１から入力された歌唱者の歌声を、演奏曲の伴奏音とともにスピーカ１２から出力し、さらに、演奏中には演奏曲の背景映像および歌詞テロップを表示させるためのビデオ信号を出力し、演奏中以外のときには予め決められた待機画面あるいは操作案内画面や各種の設定画面などを表示させるためのビデオ信号を出力する。映像制御部２は、表示装置３の表示画面に各種の映像を表示させる。表示装置３は、演奏曲の背景映像および歌詞テロップあるいは他の情報などを表示画面に表示する。リモートコントローラ４は、複数のキースイッチなどを備えており、利用者の操作に応じた操作信号を生成し、その操作信号で赤外光を変調して放射させる。
【００１８】
マイクロホン１１は、歌唱者の歌声を音声信号に変換する。スピーカ１２は、カラオケ装置本体１からの音響信号を音に変換する。
【００１９】
ＣＰＵ２１は、映像制御部２の全体を制御する。インターフェイス制御部２２は、ＣＰＵ２１とカラオケ装置本体１とのインターフェイスとして機能する。メモリ２３は、たとえばＲＯＭ、ＲＡＭ、ＥＥＰＲＯＭなどからなり、各種のデータを記憶するとともに、ＣＰＵ２１のワーキングメモリとしても利用される。内部ビデオ信号発生回路部２４は、たとえばハードディスク装置などを備えており、各種ジャンルにおけるヒット曲の最新のランキングなどの各種情報を表示させるためのビデオ信号を出力する。入力ビデオ信号処理回路部２５は、カラオケ装置本体１からのビデオ信号を処理する。ピクチャ・イン・ピクチャ制御回路部２６は、内部ビデオ信号発生回路部２４からのビデオ信号による第２の映像を親画面とし、入力ビデオ信号処理回路部２５からのビデオ信号による第１の映像を子画面として、子画面を親画面中に組み込んだ映像のビデオ信号を出力する。ビデオ信号切替回路部２７は、ＣＰＵ２１により制御されて、入力ビデオ信号処理回路部２５からのビデオ信号を表示装置３に出力する状態と、ピクチャ・イン・ピクチャ制御回路部２６からのビデオ信号を表示装置３に出力する状態とに切り替わる。リモコン受光部２８は、リモートコントローラ４からの赤外光を受光して、それに応じた操作信号を出力する。
【００２０】
ピクチャ・イン・ピクチャ制御回路部２６の動作をさらに説明すると、たとえば、表示画面の縦方向１／２、横方向１／２、すなわち面積１／４の子画面を親画面に表示させるには、子画面となる入力ビデオ信号処理回路部２５からのビデオ信号の水平ラインを２本毎に１本のみ有効とし、それをメモリ２３に格納して、それを倍の速度で親画面となる内部ビデオ信号発生回路部２４からのビデオ信号に同期させて読み出し、親画面に対する子画面表示部分にスーパーインポーズする。このように、子画面は元の画面を圧縮して表示させるため、元の映像よりも解像度が劣化する。
【００２１】
すなわち、ＣＰＵ２１およびビデオ信号切替回路部２７は、第１の映像のみを表示装置３の表示画面に表示させる第１の表示状態と、第１の映像とは異なる第２の映像と第１の映像とを画面分割により表示装置３の表示画面に同時に表示させる第２の表示状態とを、利用者の操作に基づいて切り替える表示状態切替手段を構成している。ＣＰＵ２１は、演奏曲の演奏中に、表示状態切替手段による第１の表示状態から第２の表示状態への切替えを禁止する切替禁止手段を構成している。リモートコントローラ４、リモコン受光部２８、およびＣＰＵ２１は、切替禁止手段を動作させるか否かを利用者が登録するための登録操作手段を構成している。メモリ２３は、登録操作手段による登録内容を記憶する登録内容記憶手段を構成している。
【００２２】
次に、このように構成されたカラオケ装置の動作の要点について説明する。先ず、演奏中における表示装置３の表示画面の表示状態の切替えを禁止したい場合には、予めその旨の登録を行っておく。すなわち、利用者が、リモートコントローラ４に予め決められた所定の操作を施すと、その操作信号がリモコン受光部２８を介してＣＰＵ２１に供給され、ＣＰＵ２１が、演奏中における画面切替えを禁止する旨をメモリ２３に記憶させる。この登録は、具体的には、初期設定モードにおいて、カラオケ優先モードと画面切替モードとのうちのいずれかのモードを使用者が任意に選択するという方法で実現している。カラオケ優先モードとは、カラオケ演奏の開始時に表示装置３の表示画面が分割画面であれば、強制的に非分割画面に切替え、カラオケ演奏中は使用者による非分割画面から分割画面への切替要求を無視するというモードであり、画面切替モードとは、カラオケ演奏中であるか否かに係わらず、使用者による画面切替要求に従うというモードである。もちろん、カラオケ優先モードと画面切替モードとの他に、使用者による画面切替要求を一切無視するという画面固定モードを選択可能にしてもよい。
【００２３】
演奏曲の演奏開始以前に、利用者がリモートコントローラ４を操作して、表示状態を切り替えたい旨の指示を入力すると、その操作信号がリモートコントローラ４からリモコン受光部２８を介してＣＰＵ２１に入力され、ＣＰＵ２１がビデオ信号切替回路部２７の状態を切り替える。すなわち、ビデオ信号切替回路部２７が入力ビデオ信号処理回路部２５からのビデオ信号を表示装置３に出力している状態であれば、ピクチャ・イン・ピクチャ制御回路部２６からのビデオ信号を表示装置３に出力する状態に切替え、ピクチャ・イン・ピクチャ制御回路部２６からのビデオ信号を表示装置３に出力している状態であれば、入力ビデオ信号処理回路部２５からのビデオ信号を表示装置３に出力する状態に切替える。
【００２４】
この後、利用者がリモートコントローラ４にリクエスト曲の曲番号を入力すると、その曲番号がリモコン受光部２８、ＣＰＵ２１、およびインターフェイス制御部２２を介してカラオケ装置本体１に入力され、カラオケ装置本体１が、リクエスト曲の演奏を開始する。ＣＰＵ２１は、インターフェイス制御部２２に入力されるカラオケ装置本体１からの信号を監視し、演奏が開始されたことを検知すると、ビデオ信号切替回路部２７を制御して、入力ビデオ信号処理回路部２５からのビデオ信号を表示装置３に出力させる。これにより、表示装置３の表示画面には、演奏曲の背景映像および歌詞テロップが表示される。
【００２５】
演奏中に利用者がリモートコントローラ４を操作して、表示状態を切り替えたい旨の指示を入力すると、その操作信号がリモートコントローラ４からリモコン受光部２８を介してＣＰＵ２１に入力され、ＣＰＵ２１が、演奏中における画面切替えを禁止する旨の登録がメモリ２３に記憶されているか否かを調べる。具体的には、カラオケ優先モードか画面切替モードかを調べる。そして、演奏中における画面切替えを禁止する旨の登録がなされていれば、すなわちカラオケ優先モードになっていれば、ＣＰＵ２１はビデオ信号切替回路部２７を制御せず、利用者による切替指示は無視される。演奏中における画面切替えを禁止する旨の登録がなされていなければ、すなわち画面切替モードになっていれば、演奏開始以前の場合と同様に表示状態が切り替わる。
【００２６】
演奏が終了すれば、ＣＰＵ２１は、インターフェイス制御部２２に入力されるカラオケ装置本体１からの信号により、演奏が終了したことを検知する。これにより、演奏開始前と同様に、利用者はリモートコントローラ４の操作により自由に表示装置３の表示画面の表示状態を切り替えることができる。
【００２７】
次に、上記のような画面切替処理の手順について、図２に示すフローチャートを参照しながら説明する。なお、この画面切替処理は、ＣＰＵ２１により所定時間毎に実行される。
【００２８】
先ず、切替指示があったか否かを判断する（Ｓ１）。具体的には、ＣＰＵ２１が、リモコン受光部２８からの信号を監視することにより、使用者により表示装置３の表示画面の表示状態を切り替えるための操作がリモートコントローラ４に対してなされたか否かを調べる。
【００２９】
切替指示があれば（Ｓ１：ＹＥＳ）、カラオケ優先モードであるか否かを判断する（Ｓ２）。具体的には、ＣＰＵ２１が、メモリ２３にカラオケ優先モードが選択された旨が記憶されているか否かを調べる。
【００３０】
カラオケ優先モードであれば（Ｓ２：ＹＥＳ）、演奏実行中であるか否かを判断する（Ｓ３）。具体的には、ＣＰＵ２１が、インターフェイス制御部２２に入力されるカラオケ装置本体１からの信号を監視することにより、演奏を開始する旨の信号が入力されてから演奏を終了する旨の信号が入力されていない状態であるかどうかを調べる。これは、たとえばメモリ２３にフラグを記憶させておくことにより容易に実現できる。
【００３１】
演奏実行中でなければ（Ｓ３：ＮＯ）、分割画面であるか否かを判断する（Ｓ４）。具体的には、ＣＰＵ２１が、ビデオ信号切替回路部２７によりピクチャ・イン・ピクチャ制御回路部２６からのビデオ信号が表示装置３に出力されているかどうかを調べる。
【００３２】
分割画面であれば（Ｓ４：ＹＥＳ）、非分割画面に切替えて（Ｓ５）、このルーチンを終了する。具体的には、ＣＰＵ２１が、ビデオ信号切替回路部２７を制御して、表示装置３の表示画面を分割画面から非分割画面に切替えさせる。
【００３３】
Ｓ４において、分割画面でなければ（Ｓ４：ＮＯ）、分割画面に切替えて（Ｓ６）、このルーチンを終了する。具体的には、ＣＰＵ２１が、ビデオ信号切替回路部２７を制御して、表示装置３の表示画面を非分割画面から分割画面に切替えさせる。
【００３４】
Ｓ３において、演奏実行中であれば（Ｓ３：ＹＥＳ）、このルーチンを終了する。すなわち、使用者により切替指示があっても、カラオケ優先モードであり、カラオケ演奏がなされていれば、表示装置３の表示画面の表示状態を非分割画面から分割画面に切替えない。
【００３５】
Ｓ２において、カラオケ優先モードでなければ（Ｓ２：ＮＯ）、Ｓ４に進む。すなわち、カラオケ優先モードでないということは、本実施形態では画面切替モードであるので、カラオケ演奏の有無に係わらず、使用者の指示に基づいて画面切替えを行うのである。
【００３６】
Ｓ１において、切替指示がなければ（Ｓ１：ＮＯ）、演奏実行中であるか否かを判断する（Ｓ７）。具体的には、ＣＰＵ２１が、インターフェイス制御部２２に入力されるカラオケ装置本体１からの信号を監視することにより、演奏を開始する旨の信号が入力されてから演奏を終了する旨の信号が入力されていない状態であるかどうかを調べる。
【００３７】
演奏実行中であれば（Ｓ７：ＹＥＳ）、分割画面であるか否かを調べる（Ｓ８）。具体的には、ＣＰＵ２１が、ビデオ信号切替回路部２７によりピクチャ・イン・ピクチャ制御回路部２６からのビデオ信号が表示装置３に出力されているかどうかを調べる。
【００３８】
分割画面であれば（Ｓ８：ＹＥＳ）、非分割画面に切替えて（Ｓ９）、このルーチンを終了する。具体的には、ＣＰＵ２１が、ビデオ信号切替回路部２７を制御して、表示装置３の表示画面を分割画面から非分割画面に切替えさせる。すなわち、演奏曲の演奏が開始されたときに、表示装置３の表示画面が分割画面であれば、自動的に非分割画面に切り替えるのである。
【００３９】
Ｓ８において、分割画面でなければ（Ｓ８：ＮＯ）、表示状態を切り替える必要が無いので、このルーチンを終了する。
【００４０】
Ｓ７において、演奏実行中でなければ（Ｓ７：ＮＯ）、このルーチンを終了する。
【００４１】
なお、上記実施形態では、１個の表示装置３が設けられている例について説明したが、複数の表示装置３を設けてもよい。この場合、２個のビデオ信号切替回路部２７を設け、１個の表示装置３は一方のビデオ信号切替回路部２７に接続し、その他の表示装置３は他方のビデオ信号切替回路部２７に接続して、一方のビデオ信号切替回路部２７はＣＰＵ２１により上記実施形態と同様に制御し、他方のビデオ信号切替回路部２７はＣＰＵ２１により常に画面切替可能なように制御すればよい。このようにすれば、利用者による１回のリモートコントローラ４に対する操作で全ての表示装置３の表示画面の表示状態を同時に切り替えることができ、しかも歌唱者用の１個の表示装置３だけは、演奏中は表示画面の表示状態が切り替えれらることがない。
【００４２】
【発明の効果】
以上説明したように請求項１に記載した発明の楽音発生装置によれば、切替禁止手段が、演奏曲の演奏中に、表示状態切替手段による第１の表示状態から第２の表示状態への切替えを禁止するので、演奏曲の演奏中における背景映像および歌詞テロップの表示状態の切替えに起因する歌唱者の歌い難さを解消できる。すなわち、演奏曲の背景映像および歌詞テロップの表示が小さくならないので歌詞テロップが見易く、しかも演奏曲の背景映像および歌詞テロップの表示が頻繁に大きくなったり小さくなったりしないので歌唱に集中できる。
【００４３】
また、請求項２に記載した発明の楽音発生装置によれば、請求項１記載の楽音発生装置による効果に加えて、複数の表示装置の表示画面の表示状態を１回の操作により同時に切替え可能であり、しかも、それらのうちの１つは歌唱者用の表示装置として、演奏中は表示状態の切替えが行われないようにできる。
【００４４】
更に、請求項３に記載した発明の楽音発生装置によれば、請求項１または請求項２記載の楽音発生装置による効果に加えて、演奏中における第１の表示状態から第２の表示状態への切替えを禁止するか否かを利用者が任意に選択できる。
【図面の簡単な説明】
【図１】本発明に係る楽音発生装置の一例としてのカラオケ装置の回路ブロック図である。
【図２】図１に示すカラオケ装置による画面切替処理の手順を説明するフローチャートである。
【符号の説明】
１  カラオケ装置本体
２  映像制御部
３  表示装置
４  リモートコントローラ
２１  ＣＰＵ
２２  インターフェイス制御部
２３  メモリ
２４  内部ビデオ信号発生回路部
２５  入力ビデオ信号処理回路部
２６  ピクチャ・イン・ピクチャ制御回路部
２７  ビデオ信号切替回路部
２８  リモコン受光部
【図１】
0003908812.tif 000002
【図２】
0003908812.tif 000003